【手続補正書】
【提出日】平成19年8月30日(2007.8.30)
【手続補正１】
【補正対象書類名】明細書
【補正対象項目名】発明の名称
【補正方法】変更
【補正の内容】
【発明の名称】ＥＬ表示装置の駆動方法およびＥＬ表示装置
【手続補正２】
【補正対象書類名】明細書
【補正対象項目名】特許請求の範囲
【補正方法】変更
【補正の内容】
【特許請求の範囲】
【請求項１】  マトリックス状に画素が配置された表示画面を有するＥＬ表示装置の駆動方法において、
前記表示画面に流れ込む電流、または前記表示画面に流れ込む電流に準ずるデータを求めるステップと、
前記電流または電流に準ずるデータに従って、前記表示画面に占める表示領域の割合を求めるステップと、
を備えた、ＥＬ表示装置の駆動方法。
【請求項２】  前記表示画面に流れ込む電流、または表示画面に流れ込む電流に準ずるデータを求めるステップは、入力映像信号のガンマ変換後に実施される、請求項1記載のＥＬ表示装置の駆動方法。
【請求項３】  前記ＥＬ表示装置への入力映像信号は、第１の色の映像信号と、第２の色の映像信号とを有し、
前記第１の色の映像信号と前記第２の色の映像信号とは独立して重み付け処理される、請求項１記載のＥＬ表示装置の駆動方法。
【請求項４】  前記表示領域は帯状であり、前記表示領域は前記表示画面の上下方向に、フレーム周期に同期して走査される、請求項１記載のＥＬ表示装置の駆動方法。
【請求項５】  外光の明るさを検出する検出ステップを備え、
前記表示画面に帯状の非表示領域および表示領域を発生させ、
前記検出ステップの出力値により、前記非表示領域と前記表示領域の割合を変化する、請求項１記載のＥＬ表示装置の駆動方法。
【請求項６】  ＥＬ素子を有する画素がマトリックス状に配置された表示画面を有するＥＬ表示装置において、
前記ＥＬ表示装置に入力される第１の色の映像信号と第２の色の映像信号を重み付け処理して、前記表示画面に流れ込む電流、または前記表示画面に流れ込む電流に準ずるデータを求める処理手段と、
前記処理手段で求めた前記電流、または前記電流に準ずるデータにより、前記ＥＬ表示装置の表示画面に発生させる表示領域と非表示領域との割合を変化させる表示制御手段とを備えた、ＥＬ表示装置。
【請求項７】  前記ＥＬ素子が形成された基板に形成された選択回路と、ソースドライバ回路とを備え、
前記ソースドライバ回路は、信号出力端子から前記第１の色の映像信号または前記第２の映像信号を出力し、
前記基板には、前記ソースドライバ回路の前記映像信号を前記画素に伝達するソース信号線が形成され、
前記選択回路は、前記ソースドライバ回路の前記信号出力端子に接続する入力端子と、前記ソース信号線に接続する選択出力端子とを有し、
前記選択回路は、１つの前記入力端子と、前記入力端子に接続できる複数の前記選択出力端子からなる組を複数有しており、
前記選択回路は、前記選択回路の入力端子に印加された前記ソースドライバ回路の映像信号を、前記複数の選択出力端子から１つ以上を選択して、前記選択された選択出力端子に接続されたソース信号線に印加する、請求項６記載のＥＬ表示装置。
【請求項８】  前記画素に階調信号を印加するソースドライバ回路を備え、
前記ソースドライバ回路は、電圧出力回路と電流出力回路とを有している、請求項６記載のＥＬ表示装置。
【請求項９】  前記ソースドライバ回路は、半導体からなるＩＣチップであり、
前記選択回路は、前記基板にポリシリコン技術で形成されている、請求項７記載のＥＬ表示装置。
【請求項１０】  前記画素において、前記ＥＬ素子に電流を供給する駆動用トランジスタと、前記電流の経路に形成されたスイッチ用トランジスタとが形成され、
前記スイッチ用トランジスタをオンオフさせて、前記電流を制御し、
前記ＥＬ表示装置の表示画面に帯状の非表示領域および表示領域を発生できる、請求項６記載のＥＬ表示装置。
【手続補正３】
【補正対象書類名】明細書
【補正対象項目名】００１６
【補正方法】変更
【補正の内容】
【００１６】
【課題を解決するための手段】
この目的を達成するため、本発明は以下の構成を備える。
第１の本発明は、マトリックス状に画素が配置された表示画面を有するＥＬ表示装置の駆動方法において、
前記表示画面に流れ込む電流、または前記表示画面に流れ込む電流に準ずるデータを求めるステップと、
前記電流または電流に準ずるデータに従って、前記表示画面に占める表示領域の割合を求めるステップと、
を備えた、ＥＬ表示装置の駆動方法である。
【手続補正４】
【補正対象書類名】明細書
【補正対象項目名】００１７
【補正方法】変更
【補正の内容】
【００１７】
第２の本発明は、前記表示画面に流れ込む電流、または表示画面に流れ込む電流に準ずるデータを求めるステップは、入力映像信号のガンマ変換後に実施される、第1の本発明のＥＬ表示装置の駆動方法である。
第３の本発明は、前記ＥＬ表示装置への入力映像信号は、第１の色の映像信号と、第２の色の映像信号とを有し、
前記第１の色の映像信号と前記第２の色の映像信号とは独立して重み付け処理される、第１の本発明のＥＬ表示装置の駆動方法である。
第４の本発明は、前記表示領域は帯状であり、前記表示領域は前記表示画面の上下方向に、フレーム周期に同期して走査される、第１の本発明のＥＬ表示装置の駆動方法である。
第５の本発明は、外光の明るさを検出する検出ステップを備え、
前記表示画面に帯状の非表示領域および表示領域を発生させ、
前記検出ステップの出力値により、前記非表示領域と前記表示領域の割合を変化する、第１の本発明のＥＬ表示装置の駆動方法である。
第６の本発明は、ＥＬ素子を有する画素がマトリックス状に配置された表示画面を有するＥＬ表示装置において、
前記ＥＬ表示装置に入力される第１の色の映像信号と第２の色の映像信号を重み付け処理して、前記表示画面に流れ込む電流、または前記表示画面に流れ込む電流に準ずるデータを求める処理手段と、
前記処理手段で求めた前記電流、または前記電流に準ずるデータにより、前記ＥＬ表示装置の表示画面に発生させる表示領域と非表示領域との割合を変化させる表示制御手段とを備えた、ＥＬ表示装置である。
第７の本発明は、前記ＥＬ素子が形成された基板に形成された選択回路と、ソースドライバ回路とを備え、
前記ソースドライバ回路は、信号出力端子から前記第１の色の映像信号または前記第２の映像信号を出力し、
前記基板には、前記ソースドライバ回路の前記映像信号を前記画素に伝達するソース信号線が形成され、
前記選択回路は、前記ソースドライバ回路の前記信号出力端子に接続する入力端子と、前記ソース信号線に接続する選択出力端子とを有し、
前記選択回路は、１つの前記入力端子と、前記入力端子に接続できる複数の前記選択出力端子からなる組を複数有しており、
前記選択回路は、前記選択回路の入力端子に印加された前記ソースドライバ回路の映像信号を、前記複数の選択出力端子から１つ以上を選択して、前記選択された選択出力端子に接続されたソース信号線に印加する、第６の本発明のＥＬ表示装置である。
第８の本発明は、前記画素に階調信号を印加するソースドライバ回路を備え、
前記ソースドライバ回路は、電圧出力回路と電流出力回路とを有している、第６の本発明のＥＬ表示装置である。
第９の本発明は、前記ソースドライバ回路は、半導体からなるＩＣチップであり、
前記選択回路は、前記基板にポリシリコン技術で形成されている、第７の本発明のＥＬ表示装置である。
第１０の本発明は、前記画素において、前記ＥＬ素子に電流を供給する駆動用トランジスタと、前記電流の経路に形成されたスイッチ用トランジスタとが形成され、
前記スイッチ用トランジスタをオンオフさせて、前記電流を制御し、
前記ＥＬ表示装置の表示画面に帯状の非表示領域および表示領域を発生できる、第６の本発明のＥＬ表示装置である。